(57)【要約】【課題】複数の作業者による点検を効率よく行い得る点検支援システムを提供する。【解決手段】第点検項目管理部により管理される第２の作業者の情報と完了点検項目管理部により管理される第２の作業者の情報とから算出される第２の作業者の点検の進み具合を示す情報を第１の作業者が利用する第１の端末装置に出力し、点検項目管理部により管理される第１の作業者の情報と完了点検項目管理部により管理される第１の作業者の情報とから算出される第１の作業者の点検の進み具合を示す情報を第２の作業者が利用する第２の端末装置に出力する制御を行う出力制御部を設けるようにした。【選択図】図１
2020197878.tif 000002
【特許請求の範囲】
【請求項１】
複数の作業者が行う点検を支援する点検支援システムであって、
第１の作業者に割り当てられた点検の項目を示す情報と、前記第１の作業者と協調して作業を行う第２の作業者に割り当てられた点検の項目を示す情報とを管理する点検項目管理部と、
前記第１の作業者に割り当てられた点検の項目のうち点検が完了した項目を特定可能な情報と、前記第２の作業者に割り当てられた点検の項目のうち点検が完了した項目を特定可能な情報とを管理する完了点検項目管理部と、
前記点検項目管理部により管理される前記第２の作業者の情報と前記完了点検項目管理部により管理される前記第２の作業者の情報とから算出される前記第２の作業者の点検の進み具合を示す情報を前記第１の作業者が利用する第１の端末装置に出力し、前記点検項目管理部により管理される前記第１の作業者の情報と前記完了点検項目管理部により管理される前記第１の作業者の情報とから算出される前記第１の作業者の点検の進み具合を示す情報を前記第２の作業者が利用する第２の端末装置に出力する制御を行う出力制御部と、
を備える点検支援システム。
【請求項２】
前記第１の作業者による入力を受け付ける第１の入力装置と、
前記第２の作業者による入力を受け付ける第２の入力装置と、
を備え、
前記完了点検項目管理部は、
前記第１の作業者に割り当てられた点検の項目を完了した旨の入力が前記第１の入力装置により受け付けられた場合、または、前記第１の作業者に割り当てられた点検の項目を完了した旨の入力が前記第２の入力装置により受け付けられた場合、完了した点検の項目を特定可能な情報を記憶し、
前記第２の作業者に割り当てられた点検の項目を完了した旨の入力が前記第２の入力装置により受け付けられた場合、または、前記第２の作業者に割り当てられた点検の項目を完了した旨の入力が前記第１の入力装置により受け付けられた場合、完了した点検の項目を特定可能な情報を記憶する、
請求項１に記載の点検支援システム。
【請求項３】
前記点検項目管理部は、前記第１の作業者と前記第２の作業者とが共同して行う点検である共同点検の項目を示す情報を管理し、
前記出力制御部は、前記点検項目管理部により管理される情報と前記完了点検項目管理部により管理される情報とから、前記共同点検までに前記第１の作業者が行う点検の項目の数および前記共同点検までに前記第２の作業者が行う点検の項目の数が所定の数になったと判定した場合、前記共同点検に係る情報を前記第１の端末装置および前記第２の端末装置に出力する、
請求項１に記載の点検支援システム。
【請求項４】
前記点検項目管理部により管理される情報には、点検の場所を示す情報が含まれ、
前記出力制御部は、前記点検項目管理部により管理される情報と前記完了点検項目管理部により管理される情報とから、前記第１の作業者の場所がかわる点検の項目までの点検の項目の数が所定の数になったと判定した場合、前記第１の作業者の点検の場所がかわることを示す情報を前記第２の端末装置に出力し、前記第２の作業者の場所がかわる点検の項目までの点検の項目の数が所定の数になったと判定した場合、前記第２の作業者の点検の場所がかわることを示す情報を前記第１の端末装置に出力する、
請求項１に記載の点検支援システム。
【請求項５】
前記出力制御部により出力される情報を設定する設定部を備え、
前記出力制御部は、前記設定部により前記第１の端末装置に前記第１の作業者が行う点検の項目を示す情報を出力する設定がされている場合、前記点検の項目を示す情報を前記第１の端末装置に表示する制御を行い、前記設定部により前記第１の端末装置に前記第１の作業者が行う点検の項目を示す情報を出力しない設定がされている場合、前記点検の項目を示す情報を前記第１の端末装置に表示しない制御を行う、
請求項１に記載の点検支援システム。
【請求項６】
複数の作業者が行う点検を支援する点検支援方法であって、
点検項目管理部が、第１の作業者に割り当てられた点検の項目を示す情報と、前記第１の作業者と協調して作業を行う第２の作業者に割り当てられた点検の項目を示す情報とを管理する第１のステップと、
完了点検項目管理部が、前記第１の作業者に割り当てられた点検の項目のうち点検が完了した項目を特定可能な情報と、前記第２の作業者に割り当てられた点検の項目のうち点検が完了した項目を特定可能な情報とを管理する第２のステップと、
出力制御部が、前記点検項目管理部により管理される前記第２の作業者の情報と前記完了点検項目管理部により管理される前記第２の作業者の情報とから算出される前記第２の作業者の点検の進み具合を示す情報を前記第１の作業者が利用する第１の端末装置に出力し、前記点検項目管理部により管理される前記第１の作業者の情報と前記完了点検項目管理部により管理される前記第１の作業者の情報とから算出される前記第１の作業者の点検の進み具合を示す情報を前記第２の作業者が利用する第２の端末装置に出力する制御を行う第３のステップと、
を備える点検支援方法。
【発明の詳細な説明】
【技術分野】
【０００１】
本発明は、点検支援システムおよび点検支援方法に関し、例えば、複数の作業者が行う点検を支援する点検支援システムおよび点検支援方法に適用して好適なものである。
【背景技術】
【０００２】
従来、ビル、工場等に設置されている装置の法定検査、保守点検等（以降、点検と記す）が複数の作業者により行われている。
【０００３】
かかる点検を支援するため、作業者が装着しているヘッドマウントディスプレイ（以降、ＨＭＤと記す）を通して視認している映像と同等の映像をカメラで取得し、取得した映像から適切な作業マニュアルといった点検に必要な情報を推定してリアルタイムにＨＭＤに表示する方法が提案されている（特許文献１参照）。
【先行技術文献】
【特許文献】
【０００４】
【特許文献１】特開２０１４−１６４４８２号公報
【発明の概要】
【発明が解決しようとする課題】
【０００５】
特許文献１に記載されている方法では、複数の作業者で点検を行う必要がある場合には、個々の作業者がＨＭＤを装着し、少なくとも１人の作業者が装着しているカメラを通じて得られる映像を、他の作業者が装着しているＨＭＤに表示することもできる。
【０００６】
例えば、エレベーターの点検について見ると、定期的に実施が義務付けられているエレベーターの法定検査では、２人以上の作業者でチームを組み、エレベーターを構成する複数の機器を並行して点検したり、共同で同一の機器を点検したりする。
【０００７】
ここで、チーム内の作業者の技術レベルは必ずしも同じではなく、点検を実施する早さに個人差があるため、効率よく点検するには、お互い点検の進み具合（進捗）を把握し、他の作業者が担当する点検の項目のうち、完了していない点検の項目を代行する等、臨機応変に点検する必要がある。
【０００８】
しかしながら、特許文献１に記載の方法では、ＨＭＤに表示される他の作業者の情報は、現在実施している点検のカメラ映像のみで、お互いの点検の進捗を把握することができない。そのため、他の作業者の点検の遅れがあったとしても把握することができないので、他の作業者が所定の点検に進むまで待つ等、無駄が発生することがある。
【０００９】
本発明は、以上の点を考慮してなされたもので、複数の作業者による点検を効率よく行い得る点検支援システム等を提案しようとするものである。
【課題を解決するための手段】
【００１０】
かかる課題を解決するため本発明においては、複数の作業者が行う点検を支援する点検支援システムであって、第１の作業者に割り当てられた点検の項目を示す情報と、前記第１の作業者と協調して作業を行う第２の作業者に割り当てられた点検の項目を示す情報とを管理する点検項目管理部と、前記第１の作業者に割り当てられた点検の項目のうち点検が完了した項目を特定可能な情報と、前記第２の作業者に割り当てられた点検の項目のうち点検が完了した項目を特定可能な情報とを管理する完了点検項目管理部と、前記点検項目管理部により管理される前記第２の作業者の情報と前記完了点検項目管理部により管理される前記第２の作業者の情報とから算出される前記第２の作業者の点検の進み具合を示す情報を前記第１の作業者が利用する第１の端末装置に出力し、前記点検項目管理部により管理される前記第１の作業者の情報と前記完了点検項目管理部により管理される前記第１の作業者の情報とから算出される前記第１の作業者の点検の進み具合を示す情報を前記第２の作業者が利用する第２の端末装置に出力する制御を行う出力制御部と、を設けるようにした。
【００１１】
上記構成によれば、第１の作業者は、第２の作業者の点検の進み具合を把握することができ、第２の作業者は、第１の作業者の点検の進み具合を把握することができる。よって、例えば、ビギナーと熟練者とが点検を行う場合には、ビギナーによる点検が遅れているときは、熟練者がフォローをするというように、協調して点検を進めることができる。
【発明の効果】
【００１２】
本発明によれば、複数の作業者による点検を支援することができる。
【図面の簡単な説明】
【００１３】
【図１】第１の実施の形態による点検支援システムの概要を説明するための図である。
【図２】第１の実施の形態による点検支援システムに係る構成の一例を示す図である。
【図３】第１の実施の形態による点検支援装置に係る構成の一例を示す図である。
【図４】第１の実施の形態による画像管理情報の一例を示す図である。
【図５】第１の実施の形態による音声管理情報の一例を示す図である。
【図６】第１の実施の形態による点検項目管理情報の一例を示す図である。
【図７】第１の実施の形態による点検支援処理に係るフローチャートの一例を示す図である。
【発明を実施するための形態】
【００１４】
以下図面について、本発明の一実施の形態を詳述する。本実施の形態は、技術レベルの異なる作業者同士でも、お互いの点検の進捗を把握し、効率がよい点検を支援することができる技術に関するものである。本実施の形態では、点検支援システムを用いた点検の支援方法について、エレベーターの定期検査の点検を例に挙げて説明する。なお、点検については、エレベーターの定期検査の点検に限るものではなく、複数の作業者により行われる他の点検であってもよい。
【００１５】
なお、以下の説明では、同種の要素を区別しないで説明する場合には、枝番を含む参照符号のうちの共通部分（枝番を除く部分）を使用し、同種の要素を区別して説明する場合は、枝番を含む参照符号を使用することがある。例えば、端末装置を特に区別しないで説明する場合には、「端末装置１２０」と記載し、個々の端末装置を区別して説明する場合には、「端末装置１２０−１」、「端末装置１２０−２」のように記載することがある。
【００１６】
（１）第１の実施の形態
図１において、１００は全体として第１の実施の形態による点検支援システムを示す。図１は、点検支援システム１００の概要を説明するための図である。
【００１７】
エレベーターの点検は、予め計画された作業（以降、作業と記す）の順序に従って、通常２名の作業者（以降、２名の作業者の各々を作業者Ａと作業者Ｂと記す）で行われる。かかる作業は、１以上の点検を含んで構成される。作業には、各作業者が行う点検（作業者に割り当てられた点検）、および／または、２名の作業者が共同で行う点検（以降、共同点検と記す）が含まれる。点検は、１以上の点検の項目（以降、点検項目と記す）を含んで構成される。
【００１８】
点検を効率よく、かつ、安全に実施するために、点検手順情報１１０ように、作業者Ａが担当する各作業の場所を示す作業場所、各作業の順序を示す作業順序、および各作業に含まれる点検と、作業者Ｂが担当する各作業の場所を示す作業場所、各作業の順序を示す作業順序、および各作業に含まれる点検とが予め決められている。
【００１９】
ここで、作業者Ａが昇降路底部で制御盤の点検を実施している場合、点検支援システム１００では、作業者Ａが利用する端末装置１２０−１が取得した制御盤の情報（例えば、映像）から、制御盤の点検項目（「主開閉器動作」、「絶縁測定」等の制御盤点検項目１２１−１）を検出し、作業者Ａの端末装置１２０−１に出力する。
【００２０】
また、作業者Ｂが昇降路底部で巻上機の点検を実施している場合、点検支援システム１００では、作業者Ｂが利用する端末装置１２０−２が取得した巻上機の情報（例えば、映像）から、巻上機の点検項目（「油漏れ有無」、「潤滑状態」等の巻上機点検項目１２１−２）を検出し、作業者Ｂの端末装置１２０−２に出力する。
【００２１】
端末装置１２０の出力については、端末装置１２０が備える表示部１２２による表示を例に挙げて説明するが、表示に限られるものではない。例えば、一の作業者が他の作業者の点検の進捗を認識可能な出力（例えば、スピーカによる音、ランプによる光、振動装置による振動等）を適宜採用することができる。
【００２２】
なお、点検項目については、作業者の任意で、端末装置１２０の表示部１２２に出力させないこともできる。
【００２３】
ここで、作業者Ａが、制御盤の「主開閉器動作」の点検を実施し、点検の結果（以降、点検結果と記す）を端末装置１２０−１に入力すると、端末装置１２０−１の表示部１２２−１に表示されている制御盤点検項目１２１−１から「主開閉器動作」が消え、残りの点検項目（「絶縁測定の項目」等）が表示される。
【００２４】
同様に、作業者Ｂが、巻上機の「油漏れ有無」の点検を実施し、点検結果を端末装置１２０−２に入力すると、端末装置１２０−２の表示部１２２−２に表示されている巻上機点検項目１２１−２から「油漏れ有無」が消え、残りの点検項目（「潤滑状態」等）が表示される。
【００２５】
なお、点検が実施された点検項目（点検が完了した点検項目）については、表示部１２２から消去される構成に限られるものではなく、点検項目の表示の色を薄くしたり、点検項目の表示のサイズを小さくしたり、点検が完了したことを示す情報（例えば、「点検済」等）を付加したりする等、点検が完了したことが把握可能な態様に変更される構成であってもよい。
【００２６】
また、点検項目の検出、検出された点検項目の表示、および点検結果を入力した点検項目を消す動作は、点検が実施される機器または点検項目を順不同に行っても可能である。例えば、作業者Ａが、制御盤点検項目１２１−１を全て完了していなくても、昇降路底部にある他の機器の点検を実施しようとすれば、点検支援システム１００は、上述した内容と同様のことを行う。
【００２７】
ここで、作業者Ａは、作業者Ｂに割り当てられた点検の点検項目、完了していない点検項目等を確認し、作業者Ｂに割り当てられた点検を実施することができる。例えば、作業者Ａの端末装置１２０―１で巻上機の情報を取得すると、巻上機点検項目１２１−２（巻上機の完了していない点検項目）が表示部１２２−１に表示され、点検結果を端末装置１２０−１に入力すると、点検結果が入力された点検項目が表示部１２２−１から消える。なお、作業者Ｂについても同様であり、作業者Ｂは、作業者Ａに割り当てられた点検の点検項目、完了していない点検項目を確認し、作業者Ａに割り当てられた点検を実施することができる。
【００２８】
また、図１に示すように、エレベーターの点検には、共同点検がある。作業者Ａと作業者Ｂとが共に、昇降路底部の全ての点検項目の完了が近づくと、端末装置１２０の表示部１２２に共同点検に係る情報（共同作業点検表示１２３）が表示される。
【００２９】
共同作業点検表示１２３では、共同点検が近づいていることに加え、共同点検までのおおよその時間、移動先（例えば、次の共同点検の作業場所「管理室」、「乗りかご内」）等の情報を合わせて表示するようにしてもよい。
【００３０】
また、共同点検の点検項目においては、端末装置１２０−１および端末装置１２０−２には、同じ点検項目が表示され、点検結果を作業者Ａと作業者Ｂとのどちらが端末装置１２０に入力しても、当該点検項目は消える。
【００３１】
以上のように、作業者Ａおよび作業者Ｂは、それぞれ自分に割り当てられた点検の点検項目、完了していない点検項目を把握するとともに、他の作業者の点検の進捗も把握できる。仮に作業者Ｂの点検の進捗が遅れていた場合、作業者Ａは、作業者Ｂの完了していない点検項目を確認し、代行して点検することができる。
【００３２】
更に、共同点検が近づいていることも事前に知ることもできるため、技術レベルの異なる作業者との作業においても、お互いの点検の進捗を把握しながら臨機応変に点検の手順を変更し、共同点検において、タイミングよく自分の持ち場に移動することができ、効率よく点検を実施することができる。
【００３３】
次に、上述した内容を実現するための構成の一例を、図２〜図７を用いて説明する。
【００３４】
図２は、点検支援システム１００に係る構成の一例を示す図である。
【００３５】
点検支援システム１００は、複数の端末装置１２０と、点検支援装置２００とを含んで構成される。端末装置１２０と点検支援装置２００とは、通信回線２２０（ネットワーク）を介して互いに通信可能に接続されている。
【００３６】
端末装置１２０は、ＨＭＤ、タブレット端末等である。端末装置１２０は、制御装置２０１と、記憶装置２０２と、通信装置２０３と、センサ装置２０４と、入力装置２０５と、出力装置２０６とを含んで構成される。なお、センサ装置２０４、入力装置２０５、出力装置２０６等は、端末装置１２０と一体に設けられる構成に限るものではなく、端末装置１２０と別体に設けられる構成であってもよい。例えば、センサ装置２０４を端末装置１２０とは別体に実装し、作業者の頭部等の体の一部に装着し、出力装置２０６を端末装置１２０とは別体に実装し、作業者の腕等の体の一部に装着するようにしてもよい。
【００３７】
制御装置２０１は、例えば、ＣＰＵ（Central Processing Unit）であり、各種の制御を行う。記憶装置２０２は、ＲＡＭ（Random Access Memory）、ＲＯＭ（Read Only Memory）、ＨＤＤ（Hard Disk Drive）等であり、各種の情報を記憶する。通信装置２０３は、例えば、ＮＩＣ（Network Interface Card）から構成され、点検支援装置２００との通信時におけるプロトコル制御を行う。センサ装置２０４は、カメラ、眼球運動計測装置等であり、撮像画像、眼球運動の計測値等のセンサ情報を取得する。入力装置２０５は、マイク、タッチパネル等であり、各種の情報を入力する。出力装置２０６は、ディスプレイ、スピーカ等であり、各種の情報を出力する。なお、センサ装置２０４と入力装置２０５とは、説明の便宜上、区別しているが、区別しなくてもよい。
【００３８】
制御装置２０１は、センサ装置２０４と入力装置２０５とに無線通信で接続可能である。以下では、センサ装置２０４については、カメラおよび眼球運動計測装置である場合を例に挙げ、入力装置２０５については、マイクである場合を例に挙げて説明する。カメラは、作業者の視線に合わせて撮影範囲が動くように、例えば、作業者の頭部、胸部等に保持され、点検中の機器を撮影する。
【００３９】
端末装置１２０の機能（センサ情報取得機能、送受信機能、表示制御機能等）は、例えば、ＣＰＵがＲＯＭに格納されたプログラムをＲＡＭに読み出して実行すること（ソフトウェア）により実現されてもよいし、専用の回路等のハードウェアにより実現されてもよいし、ソフトウェアとハードウェアとが組み合わされて実現されてもよい。また、端末装置１２０の機能の一部は、端末装置１２０と通信可能な他のコンピュータ（例えば、点検支援装置２００）により実現されてもよい。
【００４０】
点検支援装置２００は、エレベーターの管理センターに設けられるサーバ装置等である。点検支援装置２００は、制御装置２１１と、記憶装置２１２と、通信装置２１３とを含んで構成される。
【００４１】
制御装置２１１は、例えば、ＣＰＵであり、各種の制御を行う。記憶装置２１２は、ＲＡＭ、ＲＯＭ、ＨＤＤ等であり、各種の情報を記憶する。通信装置２１３は、例えば、ＮＩＣから構成され、端末装置１２０との通信時におけるプロトコル制御を行う。
【００４２】
点検支援装置２００の機能（後述の画像検出部３１１、音声検出部３１２、点検項目管理部３１３、完了点検項目管理部３１４、出力制御部３１５、設定部３１６等）は、例えば、ＣＰＵがＲＯＭに格納されたプログラムをＲＡＭに読み出して実行すること（ソフトウェア）により実現されてもよいし、専用の回路等のハードウェアにより実現されてもよいし、ソフトウェアとハードウェアとが組み合わされて実現されてもよい。また、点検支援装置２００の機能の一部は、点検支援装置２００と通信可能な他のコンピュータ（例えば、端末装置１２０）により実現されてもよい。
【００４３】
端末装置１２０と点検支援装置２００とは、点検が実施されている間、互いにデータを送受信することができる。例えば、点検支援装置２００は、センサ装置２０４（本例では、カメラおよび眼球運動計測装置）と入力装置２０５（本例では、マイク）とのデータを受信することができる。また、例えば、点検支援装置２００で検出された点検項目は、出力装置２０６に表示される。
【００４４】
図３は、点検支援装置２００に係る構成の一例を示す図である。
【００４５】
点検支援装置２００は、画像管理情報３０１、音声管理情報３０２、点検項目情報３０３、および完了点検項目情報３０４を記憶する。
【００４６】
画像管理情報３０１は、端末装置１２０から送信された画像データから点検中の機器を検出するために用いられる情報である。なお、図４に画像管理情報３０１の一例を示す。
【００４７】
音声管理情報３０２は、端末装置１２０から送信された音声データから、点検中の機器を検出するために用いられる情報、取付け状態、汚損状態等の点検中の点検の内容（以降、点検内容と記す）を検出するために用いられる情報、または、点検結果を検出するために用いられる情報である。なお、図５に音声管理情報３０２の一例を示す。
【００４８】
点検項目情報３０３は、点検項目に係る情報を含み、画像データから検出された点検中の機器の情報と、音声データから検出された点検中の機器の情報とから、点検中の機器に係る点検項目（以降、機器点検項目と記す）を検出するために用いられる情報である。なお、図６に点検項目情報３０３の一例を示す。
【００４９】
完了点検項目情報３０４は、点検が完了した点検項目（以降、完了点検項目と記す）を特定可能な情報を含み、点検項目情報３０３を用いて検出された機器点検項目から完了点検項目を識別（例えば、排除）するために用いられる情報である。なお、図６に完了点検項目情報３０４の一例を示す。
【００５０】
また、点検支援装置２００は、画像検出部３１１、音声検出部３１２、点検項目管理部３１３、完了点検項目管理部３１４、出力制御部３１５、および設定部３１６を備える。
【００５１】
画像検出部３１１は、端末装置１２０から送信された画像データから、画像管理情報３０１を利用して点検中の機器を検出する。
【００５２】
また、センサ装置２０４で撮影した画像データに、センサ装置２０４で取得した作業者の視線データを付加すると、画像データに複数の機器が含まれていたとしても、その中から作業者が注視している機器を特定でき、画像検出部３１１による点検中の機器の検出を、さらに精度よく行うことができる。
【００５３】
音声検出部３１２は、端末装置１２０から送信された音声データから、例えば、音声管理情報３０２を利用して点検中の点検内容を検出する。また、音声検出部３１２でも画像検出部３１１と並行して、端末装置１２０から送信された音声データから、音声管理情報３０２を利用して点検中の機器を検出する。音声検出部３１２で点検中の機器を検出できた場合、作業者が発する音声の方が画像データよりも信頼性が高いため、画像検出部３１１で検出された機器よりも音声検出部３１２で検出された機器が優先される。また、音声検出部３１２は、端末装置１２０から送信された音声データから、音声管理情報３０２を利用して点検中の点検結果を検出する。
【００５４】
点検項目管理部３１３は、画像検出部３１１または音声検出部３１２で検出した点検中の機器から、点検項目情報３０３を用いて機器点検項目を検出する。
【００５５】
完了点検項目管理部３１４は、音声検出部３１２で検出された点検中の点検内容および点検結果から、完了点検項目を検出し、検出した完了点検項目を識別可能な情報を記憶する。
【００５６】
出力制御部３１５は、点検項目管理部３１３により検出された機器点検項目と、完了点検項目管理部３１４により検出された完了点検項目とから、未完了の点検項目（以降、未完了点検項目と記す）を検出し、検出した未完了点検項目を端末装置１２０に送信する。端末装置１２０は、未完了点検項目（例えば、制御盤点検項目１２１−１、巻上機点検項目１２１−２等）を出力装置２０６に表示する。なお、出力制御部３１５は、検出した未完了点検項目を記憶装置２１２に記憶してもよい。これによれば、点検支援装置２００で検出された未完了点検項目を、随時、点検支援装置２００にも保持できるので、エレベーターの管理センター等に蓄積して管理することが容易にできる。
【００５７】
付言するならば、点検支援装置２００で検出された機器点検項目と完了点検項目とは、出力制御部３１５により通信回線２２０を介して端末装置１２０に送信されるようにしてもよい。この場合、端末装置１２０は、機器点検項目と完了点検項目とを保持でき、必要に応じて、出力装置２０６に表示することで、作業者は、機器点検項目、完了点検項目、および／または、未完了点検項目を確認することもできる。また、機器点検項目と完了点検項目とを端末装置１２０に表示するとともに、記憶装置２１２に格納するようにしてもよい。これによれば、点検支援装置２００で検出された機器点検項目と完了点検項目とを、随時、点検支援装置２００にも保持できるので、エレベーターの管理センター等に蓄積して管理することが容易にできる。
【００５８】
設定部３１６は、出力制御部３１５により出力される情報を設定する。例えば、設定部３１６は、端末装置１２０からの指示に応じて、未完了点検項目を表示するか否かの設定（例えば、表示フラグのオンおよびオフの制御）を行う。出力制御部３１５は、設定部３１６により端末装置１２０に未完了点検項目を表示する設定がされている場合、未完了点検項目を端末装置１２０に表示する制御を行い（例えば、未完了点検項目を端末装置１２０に送信し）、設定部３１６により端末装置１２０に未完了点検項目を表示しない設定がされている場合、未完了点検項目を端末装置１２０に表示しない制御を行う（例えば、未完了点検項目を端末装置１２０に送信しない）。
【００５９】
図４は、画像管理情報３０１の一例（画像管理テーブル４００）を示す図である。画像管理テーブル４００は、端末装置１２０から送信される画像データから、点検中の機器を検出可能な情報を管理するテーブルである。
【００６０】
より具体的には、画像管理テーブル４００は、画像４０１と機器名４０２との情報を対応付けて記憶する。画像４０１は、機器名４０２により識別可能な機器の画像データ群（例えば、教師データ）である。機器名４０２は、点検が実施される各機器を識別可能な名称である。
【００６１】
なお、画像４０１については、画像データに限るものではなく、機器の特徴量等、機器を検出可能な情報を適宜に採用できる。また、機器名４０２については、機器の名称に限るものではなく、機器番号等、機器を識別可能な情報を適宜に採用できる。
【００６２】
図５は、音声管理情報３０２の一例（音声管理テーブル５００）を示す図である。音声管理テーブル５００は、端末装置１２０から送信される音声データから、点検中の点検内容を検出可能な情報と、点検中の機器を検出可能な情報と、点検項目の完了を検出可能な情報と、を管理するテーブルである。
【００６３】
より具体的には、音声管理テーブル５００は、音声５０１と、キーワード５０２と、種別５０３との情報を対応付けて記憶する。音声５０１は、キーワード５０２の音声データである。音声データは、圧縮フォーマットのデータであってもよいし、可逆非圧縮フォーマットのデータであってもよいし、非可逆非圧縮フォーマットのデータであってもよいし、その他のフォーマットのデータであってもよい。キーワード５０２は、点検内容、点検機器（点検が実施される機器）、または点検項目の完了を示す単語等である。種別５０３は、キーワード５０２を点検内容と点検結果と点検機器との何れかに分類するための区分である。
【００６４】
なお、音声５０１については、音声データに限るものではなく、キーワード５０２の音声の特徴抽出後のデータ等、キーワード５０２を検出可能な情報を適宜に採用できる。
【００６５】
図６は、点検項目情報３０３および完了点検項目情報３０４を含む点検項目管理情報の一例（点検項目管理テーブル６００）を示す図である。
【００６６】
より具体的には、点検項目管理テーブル６００は、点検項目番号６０１、作業者６０２、作業場所６０３、作業順序６０４、点検名６０５、点検機器（大分類）６０６、点検機器（小分類）６０７、点検項目名６０８、点検内容６０９、共同点検フラグ６１０、所要時間６１１、点検状態６１２、および点検結果６１３の情報を対応付けて記憶する。
【００６７】
点検項目番号６０１は、点検項目を識別可能な番号である。なお、点検項目は、点検項目名６０８、点検内容６０９等の情報を含んで構成される。作業者６０２は、点検項目が割り当てられた作業者を識別可能な情報である。作業場所６０３は、点検項目の点検が実施される場所である。作業順序６０４は、点検項目の点検が属する作業の順番である。
【００６８】
点検名６０５は、点検項目の名称である。点検機器（大分類）６０６は、点検項目の点検が実施される機器（複数の機器を含んで構成される機器、例えば、制御盤、巻上機）である。点検機器（小分類）６０７、点検項目の点検が実施される機器（例えば、主開閉器、制動機）である。
【００６９】
点検項目名６０８は、点検項目の名称である。点検内容６０９は、点検項目の内容である。共同点検フラグ６１０は、点検項目の点検が共同点検であるか否かを示すフラグ（本例では、「ＴＲＵＥ」または「ＦＡＬＳＥ」）である。所要時間６１１は、点検項目の点検に要する時間である。なお、所要時間６１１は、作業者の過去の実績から算出される平均時間であってもよいし、全作業者の過去の実績から算出される平均時間であってもよいし、その他の手法により得られる標準的な時間であってもよい。点検状態６１２は、点検項目の点検の状態（本例では、点検が未完了の場合は「未点検」点検中である場合は「点検中」、点検が完了の場合は「点検済」）である。点検結果６１３は、点検項目の点検結果である。
【００７０】
なお、点検項目管理テーブル６００では、作業者Ａに係る作業点検のレコードを示したが、作業者Ｂに係る作業点検のレコードも含まれている。ただし、データ構造は、点検項目管理テーブル６００に限るものではなく、例えば、作業者ごとにテーブルを設けるデータ構造等であってもよい。
【００７１】
図７は、点検支援装置２００が行う点検支援処理に係るフローチャートの一例を示す図である。点検支援処理は、所定の周期で行われる。点検支援処理では、概して、ステップＳ７０１〜ステップＳ７１１において、点検が実施されているときの処理が行われ、ステップＳ７１２〜ステップＳ７１９において、点検が完了したときの処理が行われる。
【００７２】
ステップＳ７０１では、点検支援装置２００は、画像データを取り込む。より具体的には、点検支援装置２００は、端末装置１２０で撮影された画像データを端末装置１２０から受信し、画像検出部３１１に取り込む。
【００７３】
ステップＳ７０２では、点検支援装置２００（例えば、画像検出部３１１）は、機器検出を行う。点検支援装置２００は、既存の画像処理技術を用いて（例えば、画像管理テーブル４００の画像４０１を教師データとしたディープラーニングにより）、受信した画像データから撮影された機器を検出する。本例では、巻上機を検出したとする。
【００７４】
ステップＳ７０３では、点検支援装置２００（例えば、点検項目管理部３１３）は、点検項目の検出を行う。より具体的には、点検支援装置２００は、ステップＳ７０２で検出した機器（本例では、巻上機）に係る点検項目の全て（機器点検項目）を検出する。例えば、点検支援装置２００は、点検項目管理テーブル６００の点検機器（大分類）６０６および点検機器（小分類）６０７と点検項目名６０８とを参照し、ステップＳ７０２で検出した巻上機に係る点検項目名６０８を全て抽出する。
【００７５】
ステップＳ７０４では、点検支援装置２００は、視線データを取り込む。より具体的には、点検支援装置２００は、端末装置１２０において既存の眼球運動計測技術で得られた視線データを端末装置１２０から受信し、画像検出部３１１に取り込む。
【００７６】
ステップＳ７０５では、点検支援装置２００（例えば、画像検出部３１１）は、機器検出を行う。点検支援装置２００は、受信した視線データを、ステップＳ７０２で処理した画像データに付加し、作業者が注視している機器を検出し、検出した機器を点検中の機器と判断する。例えば、点検支援装置２００は、作業者が巻上機本体ではなく、巻上機に取り付けられた制動機を注視していた場合、制動機を検出する。本例では、制動機を検出したとする。
【００７７】
ステップＳ７０６では、点検支援装置２００（点検項目管理部３１３）は、点検項目の検出を行う。より具体的には、点検支援装置２００は、ステップＳ７０５で検出した機器（本例では、制動機）に係る点検項目の全て（機器点検項目）を検出する。例えば、点検支援装置２００は、点検項目管理テーブル６００の点検機器（大分類）６０６および点検機器（小分類）６０７と点検項目名６０８とを参照し、ステップＳ７０５で検出した制動機に係る点検項目名６０８を全て抽出する。
【００７８】
ステップＳ７０７では、点検支援装置２００は、音声データを取り込む。より具体的には、点検支援装置２００は、端末装置１２０で収音された音声データを端末装置１２０から受信し、音声検出部３１２に取り込む。例えば、点検支援装置２００（音声検出部３１２）は、既存の音声認識技術を用いて、受信した音声データから音声管理テーブル５００のキーワード５０２（例えば「油漏れ有無」、「潤滑状態」等）および種別５０３（例えば、「点検内容」）を検出する。
【００７９】
ステップＳ７０８では、点検支援装置２００は、点検項目の検出を行う。この際、点検支援装置２００は、画像データから検出した機器と、音声データから検出した点検内容とから、点検中の点検項目を検出する。例えば、点検支援装置２００は、点検項目管理テーブル６００の点検内容６０９を参照し、検出した点検内容のキーワードが点検内容６０９に含まれる点検項目の点検状態６１２を「点検中」にセットする。
【００８０】
また、点検支援装置２００は、ステップＳ７０７で受信した音声データには、点検中の機器に係るキーワードも含まれ得る。例えば、点検支援装置２００は、受信した音声データから音声管理テーブル５００のキーワード５０２（例えば、「制動機」等）を点検中の機器として検出する。点検支援装置２００（点検項目管理部３１３）は、点検中の機器を検出した場合、検出した機器（本例では、制動機）に係る点検項目の全て（機器点検項目）を検出する。
【００８１】
ステップＳ７０９では、点検支援装置２００（出力制御部３１５）は、点検項目の出力制御を行う。例えば、点検支援装置２００は、点検項目管理テーブル６００を参照し、ステップＳ７０３、ステップＳ７０６、またはステップＳ７０８で検出された機器点検項目のうち、点検状態６１２が「未点検」または「点検中」の点検項目名６０８を抽出し、抽出した点検項目名６０８を未完了点検項目として端末装置１２０に送信する。端末装置１２０は、未完了点検項目を受信すると、出力装置２０６に表示する。
【００８２】
ステップＳ７１０では、点検支援装置２００は、点検結果を検出する。ステップＳ７０７で受信した音声データには、点検結果に係るキーワードも含まれ得る。ここでは、点検支援装置２００は、受信した音声データから音声管理テーブル５００のキーワード５０２（例えば、「良」、「要是正」、数値等）を点検結果として検出する。
【００８３】
ステップＳ７１１では、点検支援装置２００は、点検結果を検出したか否かを判定する。点検支援装置２００は、点検結果を検出したと判定した場合、ステップＳ７１２に処理を移し、点検結果を検出していないと判定した場合、ステップＳ７０１に処理を移す。
【００８４】
ステップＳ７１２では、点検支援装置２００は、点検結果を記憶する。より具体的には、点検支援装置２００は、ステップＳ７１０で検出された点検結果を記憶装置２１２に記憶する。例えば、点検支援装置２００は、検出した点検結果を、点検項目管理テーブル６００における点検状態６１２が「点検中」である点検項目の点検結果６１３に格納する。そして、点検支援装置２００は、点検状態６１２の「点検中」を「点検済」に変更する。かかる処理は、作業者が自身に割り当てられた点検の点検項目の点検を実施した場合と、作業者が他の作業者に割り当てられた点検の点検項目の点検を実施した場合とが区別されることなく行われる。ただし、これに限られるものではなく、例えば、どの作業者が点検を実施したかを示す情報（例えば、点検実施作業者）を記憶してもよい。
【００８５】
ステップＳ７１３では、点検支援装置２００は、点検項目の出力制御を行う。例えば、点検支援装置２００は、点検項目管理テーブル６００を参照し、ステップＳ７０３、ステップＳ７０６、またはステップＳ７０８で検出された機器点検項目のうち、点検状態６１２が「未点検」の点検項目名６０８を抽出し、抽出した点検項目名６０８を未完了点検項目として端末装置１２０に送信する。端末装置１２０は、未完了点検項目を受信すると、出力装置２０６に表示する。
【００８６】
ステップＳ７１４では、点検支援装置２００は、共同点検までの残りの点検項目の数（残点検項目数）を計数する。例えば、点検支援装置２００は、点検項目管理テーブル６００の作業者６０２と共同点検フラグ６１０と点検状態６１２とを参照し、次の共同点検までの作業者Ａの残点検項目数と、次の共同点検までの作業者Ｂの残点検項目数とを計数する。
【００８７】
ステップＳ７１５では、点検支援装置２００は、作業者Ａの残点検項目数および作業者Ｂの残点検項目数が所定の値（例えば、「１」）であるか否かを判定する。点検支援装置２００は、作業者Ａの残点検項目数および作業者Ｂの残点検項目数が所定の値であると判定した場合、ステップＳ７１６に処理を移し、作業者Ａの残点検項目数または作業者Ｂの残点検項目数が所定の値でないと判定した場合、ステップＳ７１７に処理を移す。
【００８８】
ステップＳ７１６では、点検支援装置２００は、共同点検に係る情報を端末装置１２０に出力する制御を行う。点検支援装置２００は、共同点検が近づいていることを示す情報、次の共同点検の作業場所、次の共同点検までの残り時間等を端末装置１２０―１および端末装置１２０―２に送信する。なお、次の共同点検までの残り時間は、ステップＳ７１２で点検結果が記憶された方の作業者の残りの点検項目の所要時間である。
【００８９】
ステップＳ７１７では、点検支援装置２００は、ステップＳ７１２で点検結果が記憶された方の作業者について、異なる作業場所での点検までの残りの点検項目の数（残点検項目数）を計数する。例えば、点検支援装置２００は、点検項目管理テーブル６００の作業者６０２と作業場所６０３と点検状態６１２とを参照し、異なる作業場所での点検までの残点検項目数を計数する。
【００９０】
ステップＳ７１８では、点検支援装置２００は、残点検項目数が所定の値（例えば、「１」）であるか否かを判定する。点検支援装置２００は、残点検項目数が所定の値であると判定した場合、ステップＳ７１９に処理を移し、残点検項目数が所定の値でないと判定した場合、ステップＳ７０１に処理を移す。
【００９１】
ステップＳ７１９では、点検支援装置２００は、異なる作業場所での点検に係る情報を端末装置１２０に出力する制御を行う。例えば、点検支援装置２００は、ステップＳ７１２で点検結果が記憶された方の作業者が移動する旨、移動先（次の作業場所）、作業場所が変わるまでの時間等を他の作業者の端末装置１２０に出力する。
【００９２】
本実施の形態によれば、点検を実施しようとしている機器の点検項目を把握でき、技術レベルの異なる作業者同士でも、お互いの点検の進捗を把握できるので、エレベーターの点検を効率よく行うことができる。
【００９３】
（２）他の実施の形態
なお、上述の実施の形態においては、本発明を点検支援システムに適用するようにした場合について述べたが、本発明はこれに限らず、この他種々のシステム、装置、方法、プログラムに広く適用することができる。
【００９４】
また、上述の実施の形態においては、ステップＳ７１０で点検結果を音声データから検出する場合について述べたが、本発明はこれに限らず、端末装置１２０−１の入力装置２０５（タッチパネル等）、作業者の腕など体の一部に取り付けた入力装置を介して、検出した点検中の点検項目に対して点検結果を入力するなど、その他の手段で入力するようにしてもよい。
【００９５】
また、上述の実施の形態においては、第２の作業者（例えば、作業者Ｂ）の点検の進み具合を示す情報として、第２の作業者が点検を行う対象の機器を第１の作業者（例えば、作業者Ａ）が視認したときに点検が完了していない点検項目名を例に挙げて述べたが、本発明はこれに限らず、第２の作業者の点検の進み具合を示す情報は、第２の作業者が点検を完了していない点検項目の数、第２の作業者が次の作業に移るまでの時間等であってもよい。
【００９６】
また、上述の実施の形態においては、共同点検に係る情報を出力する制御を行う第１の出力制御処理（ステップＳ７１４〜ステップＳ７１６）と、異なる作業場所での点検に係る情報を出力する制御を行う第２の出力制御処理（ステップＳ７１７〜ステップＳ７１９）とを行う場合について述べたが、本発明はこれに限らない。例えば、第１の出力制御処理および第２の出力制御処理の何れも行わないようにしてもよいし、何れか一方を行うようにしてもよい。
【００９７】
また、上述の実施の形態において、各テーブルの構成は一例であり、１つのテーブルは、２以上のテーブルに分割されてもよいし、２以上のテーブルの全部または一部が１つのテーブルであってもよい。
【００９８】
また、上述の実施の形態において、説明の便宜上、ＸＸテーブルを用いて各種のデータを説明したが、データ構造は限定されるものではなく、ＸＸ情報等と表現してもよい。
【００９９】
また、上記の説明において、各機能を実現するプログラム、テーブル、ファイル等の情報は、メモリや、ハードディスク、ＳＳＤ（Solid State Drive）等の記憶装置、または、ＩＣカード、ＳＤカード、ＤＶＤ等の記録媒体に置くことができる。
【０１００】
上述した実施の形態は、例えば、以下の特徴的な構成を有する。
【０１０１】
複数の作業者（例えば、作業者Ａ、作業者Ｂ）が行う点検を支援する点検支援システム（例えば、点検支援システム１００）であって、第１の作業者（例えば、作業者Ａ）に割り当てられた点検の項目を示す情報（例えば、点検項目管理テーブル６００における作業者Ａの点検項目名６０８、点検内容６０９等）と、上記第１の作業者と協調して作業を行う第２の作業者（例えば、作業者Ｂ）に割り当てられた点検の項目を示す情報（例えば、点検項目管理テーブル６００における作業者Ｂの点検項目名６０８、点検内容６０９等）とを管理する点検項目管理部（例えば、点検項目管理部３１３）と、上記第１の作業者に割り当てられた点検の項目のうち点検が完了した項目を特定可能な情報（例えば、作業者Ａの点検状態６１２）と、上記第２の作業者に割り当てられた点検の項目のうち点検が完了した項目を特定可能な情報（例えば、作業者Ｂの点検状態６１２）とを管理する完了点検項目管理部（例えば、完了点検項目管理部３１４）と、上記点検項目管理部により管理される上記第２の作業者の情報と上記完了点検項目管理部により管理される上記第２の作業者の情報とから算出される上記第２の作業者の点検の進み具合を示す情報（例えば、作業者Ｂが点検を行う対象の機器を作業者Ａが視認したときに点検が完了していない点検の点検項目名６０８、作業者Ｂが点検を完了していない点検の点検項目６０８の数、作業者Ｂが次の作業に移るまでの時間（点検中の作業において完了していない点検項目６０８の所要時間６１１の総和）等）を上記第１の作業者が利用する第１の端末装置（例えば、端末装置１２０−１）に出力し、上記点検項目管理部により管理される上記第１の作業者の情報と上記完了点検項目管理部により管理される上記第１の作業者の情報とから算出される上記第１の作業者の点検の進み具合を示す情報（例えば、作業者Ａが点検を行う対象の機器を作業者Ｂが視認したときに点検が完了していない点検の点検項目名６０８、作業者Ａが点検を完了していない点検の点検項目６０８の数、作業者Ａが次の作業に移るまでの時間（点検中の作業において完了していない点検項目６０８の所要時間６１１の総和）等）を上記第２の作業者が利用する第２の端末装置（例えば、端末装置１２０−１）に出力する制御を行う出力制御部（例えば、出力制御部３１５）と、を備える。
【０１０２】
上記構成によれば、第１の作業者は、第２の作業者の点検の進み具合を把握することができ、第２の作業者は、第１の作業者の点検の進み具合を把握することができる。よって、例えば、ビギナーと熟練者とが点検を行う場合には、ビギナーによる点検が遅れているときは、熟練者がフォローをするというように、協調して点検を進めることができる。
【０１０３】
また、上記構成において、上記出力制御部は、上記第１の作業者の点検の進み具合を示す情報を上記第１の端末装置に出力し、上記第２の作業者の点検の進み具合を示す情報を上記第２の端末装置に出力する制御を行ってもよい。より具体的には、上記出力制御部は、上記点検項目管理部により管理される上記第１の作業者の情報と、上記完了点検項目管理部により管理される上記第１の作業者の情報とに基づいて、完了していない点検の項目を示す情報（例えば、点検項目名６０８、点検内容６０９、所要時間６１１）を上記第１の端末装置に接続された第１の表示装置（例えば、端末装置１２０−１が備える出力装置）に表示し、上記点検項目管理部により管理される上記第２の作業者の情報と、上記完了点検項目管理部により管理される上記第２の作業者の情報とに基づいて、完了していない点検の項目を示す情報（例えば、点検項目名６０８、点検内容６０９、所要時間６１１）を上記第２の端末装置に接続された第２の表示装置（例えば、端末装置１２０−２が備える出力装置）に表示してもよい。
【０１０４】
上記構成によれば、作業者自身が点検の進み具合を把握することができる。例えば、点検の進み具合を示す情報として、点検の項目名が端末装置に出力される場合、作業者は、どういう点検があるのか、次に何の点検を行ったらいいか等を把握できるようになり、点検をスムーズに行うことができるようになる。
【０１０５】
また、上記構成において、上記出力制御部は、上記第２の作業者に割り当てられた点検の機器を上記第１の端末装置に接続された第１のセンサ装置により把握された場合に、上記第２の作業者の点検の進み具合を示す情報を上記第１の端末装置に出力し、上記第１の作業者に割り当てられた点検の機器を上記第２の端末装置に接続された第２のセンサ装置により把握された場合に、上記第１の作業者の点検の進み具合を示す情報を上記第２の端末装置に出力してもよい。
【０１０６】
上記構成によれば、例えば、センサ装置が作業者の目の付近に取り付けられている場合、作業者は、他の作業者に割り当てられた点検の機器を視認することで、他の作業者の点検の進み具合を把握できる。
【０１０７】
上記第１の作業者による入力を受け付ける第１の入力装置（例えば、端末装置１２０−１が備える入力装置）と、上記第２の作業者による入力を受け付ける第２の入力装置（例えば、端末装置１２０−２が備える入力装置）と、を備え、上記完了点検項目管理部は、上記第１の作業者に割り当てられた点検の項目を完了した旨の入力が上記第１の入力装置により受け付けられた場合、または、上記第１の作業者に割り当てられた点検の項目を完了した旨の入力が上記第２の入力装置により受け付けられた場合、完了した点検の項目を特定可能な情報を記憶し、上記第２の作業者に割り当てられた点検の項目を完了した旨の入力が上記第２の入力装置により受け付けられた場合、または、上記第２の作業者に割り当てられた点検の項目を完了した旨の入力が上記第１の入力装置により受け付けられた場合、完了した点検の項目を特定可能な情報を記憶する（例えば、ステップＳ７１２参照）。
【０１０８】
上記構成によれば、例えば、ビギナーと熟練者とが協調して点検を行う場合には、熟練者がビギナーの点検の項目を完了したとき、完了したことを熟練者がビギナーに伝えることなく、ビギナーの端末装置から完了した項目が消去される。このように、完了したことを言葉で伝えるといった不要な動作をなくすことにより、伝達ミス、伝達漏れ等による重複した点検を回避できるので、より協調して点検を進めることができる。
【０１０９】
上記完了点検項目管理部は、上記第１の作業者または上記第２の作業者により、上記第１の作業者と上記第２の作業者とが共同して行う点検である共同点検の項目を完了した旨の入力が行われた場合、上記共同点検が完了したことを示す情報を記憶してもよい。
【０１１０】
上記構成によれば、共同点検の場合は、余裕がある作業者が完了の入力を行うことで、端末装置から共同点検の項目を示す情報が消去されるので、より協調して点検を進めることができる。
【０１１１】
上記点検項目管理部は、上記第１の作業者と上記第２の作業者とが共同して行う点検である共同点検の項目を示す情報（例えば、共同点検フラグ６１０）を管理し、上記出力制御部は、上記点検項目管理部により管理される情報と上記完了点検項目管理部により管理される情報とから、上記共同点検までに上記第１の作業者が行う点検の項目の数および上記共同点検までに上記第２の作業者が行う点検の項目の数が所定の数になったと判定した場合、上記共同点検に係る情報（共同点検が近づいていること、共同点検までのおおよその時間、移動先（共同点検の作業場所６０３）、共同点検の点検項目名６０８、共同点検の点検内容６０９等）を上記第１の端末装置および上記第２の端末装置に出力する。
【０１１２】
上記構成によれば、例えば、第１の作業者および第２の作業者は、共同点検の開始時間、共同点検の点検内容、共同点検の作業場所等の共同点検に係る情報を把握することができるので、より協調して点検を進めることができる。
【０１１３】
上記点検項目管理部により管理される情報には、点検の場所を示す情報（例えば、作業場所６０３）が含まれ、上記出力制御部は、上記点検項目管理部により管理される情報と上記完了点検項目管理部により管理される情報とから、上記第１の作業者の場所がかわる点検の項目までの点検の項目の数が所定の数になったと判定した場合、上記第１の作業者の点検の場所がかわることを示す情報（例えば、作業者Ａが移動する旨、作業者Ａの移動先（次の作業場所６０３）、作業場所が変わるまでの時間等）を上記第２の端末装置に出力し、上記第２の作業者の場所がかわる点検の項目までの点検の項目の数が所定の数になったと判定した場合、上記第２の作業者の点検の場所がかわることを示す情報（例えば、作業者Ｂが移動する旨、作業者Ｂの移動先（次の作業場所６０３）、作業場所が変わるまでの時間等）を上記第１の端末装置に出力する。
【０１１４】
上記構成によれば、例えば、第１の作業者は、第２の作業者の点検の場所がかわることを把握することができ、第２の作業者は、第１の作業者の点検の場所がかわることを把握することができる。このように、他の作業者の点検の場所を把握することにより、他の作業者の安全性を高めることができ、より協調して点検を進めることができる。
【０１１５】
上記出力制御部により出力される情報を設定する設定部（例えば、設定部３１６）を備え、上記出力制御部は、上記設定部により上記第１の端末装置に上記第１の作業者が行う点検の項目を示す情報を出力する設定がされている場合、上記点検の項目を示す情報を上記第１の端末装置に表示する制御を行い、上記設定部により上記第１の端末装置に上記第１の作業者が行う点検の項目を示す情報を出力しない設定がされている場合、上記点検の項目を示す情報を上記第１の端末装置に表示しない制御を行う。
【０１１６】
例えば、第１の作業者が熟練者である場合、熟練者は自身に割り当てられた点検の項目を把握していることから、当該項目を表示する必要がない。上記構成によれば、例えば、熟練者は、見る必要のない点検の項目を表示しない設定をすることで、余分な情報を視認しなくなるので、点検をし易くすることができる。
【０１１７】
また上述した構成については、本発明の要旨を超えない範囲において、適宜に、変更したり、組み替えたり、組み合わせたり、省略したりしてもよい。
【符号の説明】
【０１１８】
１００……点検支援システム、２００……点検支援装置。
【図１】
2020197878.tif 000003
【図２】
2020197878.tif 000004
【図３】
2020197878.tif 000005
【図４】
2020197878.tif 000006
【図５】
2020197878.tif 000007
【図６】
2020197878.tif 000008
【図７】
2020197878.tif 000009